(57)【特許請求の範囲】
【請求項１】
光ファイバ海底ケーブルの中継器を収納する耐圧筐体の壁部に設けられ、光ファイバが挿通された第１の金属スリーブと、この第１の金属スリーブと前記耐圧筐体との間を電気的に絶縁する第１の絶縁体とを有し、前記耐圧筐体に対し光ファイバ海底ケーブルを導入する第１のケーブル導入装置と、前記光ファイバが挿通され、前記第１の金属スリーブに接続される第２の金属スリーブと、この第２の金属スリーブの外周を被覆して前記第１の絶縁体の軸方向端面に接合される第２の絶縁体とを有し、前記中継器と前記第１のケーブル導入装置との間を接続する第２のケーブル導入装置とを備えた光海底中継器用ケーブル導入装置の絶縁構造において、前記第１，第２のケーブル導入装置の相互接続部には、前記第１，第２の絶縁体の相互接合面間に形成され、前記第１，第２の金属スリーブから前記耐圧筐体に向かう放電経路の途中の放電方向を、前記絶縁体の厚み方向から、前記金属スリーブの軸方向にずれた方向に導くことによって前記放電経路を延長する放電経路延長手段を設けたことを特徴とする光海底中継器用ケーブル導入装置の絶縁構造。
【請求項２】
放電経路延長手段は、第１の絶縁体と第２の絶縁体との接合部外周を、前記第１，第２の絶縁体に跨って一体的に覆う電気絶縁性のカラーからなっていることを特徴とする請求項１記載の光海底中継器用ケーブル導入装置の絶縁構造。
【請求項３】
放電経路延長手段は、第１の絶縁体と第２の絶縁体において、一方の絶縁体の被接合端部に形成された嵌合凹部と、他方の絶縁体の被接合端部に形成され前記嵌合凹部に嵌合固着された嵌合凸部とからなっていることを特徴とする請求項１記載の光海底中継器用ケーブル導入装置の絶縁構造。
【請求項４】
放電経路延長手段は、第１の絶縁体と第２の絶縁体における一方の絶縁体の被接合端部に形成された嵌合凹部と、他方の絶縁体の被接合端部に形成され前記嵌合凹部に嵌合固着された嵌合凸部と、前記第１，第２の絶縁体相互の接合部外周を一体的に覆う電気絶縁性のカラーとからなっていることを特徴とする請求項１記載の光海底中継器用ケーブル導入装置の絶縁構造。
【発明の詳細な説明】
【０００１】
【発明の属する技術分野】
この発明は、光ファイバ海底ケーブルを中継器に接続する光海底中継器用ケーブル導入装置の絶縁構造に関するものである。
【０００２】
【従来の技術】
図４は従来の光海底中継器用ケーブル導入装置の絶縁構造を説明するために例示した一般的な光海底中継器を示す概略的な説明図であり、同図において、１は光ファイバ海底ケーブルが接続される中継器、２は前記中継器１を収納する耐圧筐体、３は前記耐圧筐体２の壁部に設けられたケーブル導入装置であり、このケーブル導入装置３は、前記耐圧筐体２の壁部に気密状態に取り付け固定された第１のケーブル導入装置３１と、この第１のケーブル導入装置３１に接続された第２のケーブル導入装置３２とからなっている。４は前記第１のケーブル導入装置３１に接続された第１の光ファイバ海底ケーブル、５は前記耐圧筐体２内にて前記中継器１と前記第２のケーブル導入装置３２とを接続する第２の光ファイバ海底ケーブルである。
【０００３】
図５は図４中のＡ部のケーブル導入装置３を示す拡大断面図であり、同図において、２ａは前記耐圧筐体２の壁部に設けられた段付貫通孔からなるケーブル導入用の導入孔であり、この導入孔２ａに前記第１のケーブル導入装置３１が組み付けセットされている。さらに詳しく述べると、前記第１のケーブル導入装置３１は、前記耐圧筐体２の導入孔２ａ内にガスケットおよびＯリング等の封止手段を介して嵌合された金属製のボディスリーブ６と、このボディスリーブ６内に挿入された第１の金属スリーブ７と、この第１の金属スリーブ７の周囲を被覆し、その金属スリーブ７と前記ボディスリーブ６との間を電気的に絶縁する第１の絶縁体８とからなって、前記第１の金属スリーブ７内に光ファイバ９を挿通した構成となっている。
ここで、前記ボディスリーブ６は、固定リング１０，１１，１２によって、前記耐圧筐体２の導入孔２ａの内壁面に圧接固定されている。また、前記第１の金属スリーブ７内には、該金属スリーブ７の内壁面と前記光ファイバ９との間を気密状態にして該光ファイバ９を保持するための金属スリーブ１３が収納配置されている。さらに、前記第１の金属スリーブ７の一端部には、前記耐圧筐体２外部との信号伝送および給電を行う金属パイプ１４が連結され、この金属パイプ１４の外周は電気絶縁材１５で被覆されている。
【０００４】
一方、前記第２のケーブル導入装置３２は、前記光ファイバ９が挿通され、かつ前記第１の金属スリーブ７における耐圧筐体２内部側の端部に対し同軸上に接続されて電力供給を行う第２の金属スリーブ１６と、この第２の金属スリーブ１６の外周を被覆し、前記第１の絶縁体８の軸方向端面に接合された電気絶縁性を有する第２の絶縁体１７とから構成されている。なお、前記第１の絶縁体８および第２の絶縁体１７は、例えばポリエチレンなどの電気絶縁物からなるものである。
【０００５】
図６は図５のＢ部の拡大断面図であり、同図において、１９は前記第１の絶縁体８と第２の絶縁体１７との接合面を融着させた溶接部、２０は給電線として機能する前記第１の金属スリーブ７と前記耐圧筐体２との間で前記第１，第２の絶縁体８，１７相互の接合面間に生じる径方向の放電経路であり、この放電経路２０は、前記第１の金属スリーブ７と前記耐圧筐体２との間で放電が発生し、前記第１，第２の絶縁体８，１７相互の接合面間が絶縁破壊した際に、その接合面間に発生するものである。
【０００６】
次に動作について説明する。
耐圧筐体２の外部から、中継器１の入力側となる第１の光ファイバ海底ケーブル４→ケーブル導入装置３→第２の光ファイバ海底ケーブル５を介して、前記中継器１内の光回路系統（図示せず）に電力が供給されると、その光回路系統は、光ファイバ９からの光伝送信号を増幅し、前記中継器１の出力側となる第２の光ファイバ海底ケーブル５→ケーブル導入装置３→第１の光ファイバ海底ケーブル４を介して前記供給電力および前記光伝送信号を前記耐圧筐体２外部の別の中継器（図示せず）に導出する。この場合、前記第１の光ファイバ海底ケーブル４側の金属パイプ１４と第１の金属スリーブ７および第２の金属スリーブ１６は給電線として機能し、前記耐圧筐体２はアースとして機能する。
【０００７】
ここで、第１，第２の金属スリーブ７，１６が絶縁体８，１７で被覆されていない場合、それらの金属スリーブ７，１６を通して中継器１に供給される電力によって、アースである耐圧筐体２には電位差が生じる。その電位差によって、前記耐圧筐体２には前記金属スリーブ７，１６からの放電が発生するので、その放電防止のために前記金属スリーブ７，１６の周囲をそれぞれ絶縁体８，１７で被覆した光海底中継器用ケーブル導入装置の絶縁構造としているが、前記金属スリーブ７，１６からの放電は、前記絶縁体８，１７の接合面間に沿って発生し易くなる。
【０００８】
【発明が解決しようとする課題】
従来の光海底中継器用ケーブル導入装置の絶縁構造は以上のように構成されているので、第１，第２の金属スリーブ７，１６を被覆している第１，第２の絶縁体８，１７は、軸方向の対向端面を接合して該接合面間の外側を開先溶接しているにすぎず、前記金属スリーブ７，１６と耐圧筐体２との間における前記絶縁体８，１７相互の接合面間に沿った沿面距離が短いため、前記第１の金属スリーブ７および／または第２の金属スリーブ１６から前記耐圧筐体２に流れる放電が発生し絶縁破壊を起こす危険性が生じるという課題があった。特に、最近は中継器１の高性能化が図られ、該中継器１への供給電力が増大し、前記金属スリーブ７，１６と耐圧筐体２との間に発生する電位差が大きくなることから、放電発生による絶縁破壊の危険性が高いという課題があった。
【０００９】
この発明は上記のような課題を解決するためになされたもので、中継器に対する給電系統の金属スリーブからアース系統の耐圧筐体に至る放電経路（沿面距離）を長くすることができ、放電による絶縁破壊の発生を防止することが可能で、耐電圧性能の向上が図れる信頼性の高い光海底中継器用ケーブル導入装置の絶縁構造を得ることを目的とする。
【００１０】
また、この発明は、ケーブル導入装置の基本構成を変更せずに、給電系統の金属スリーブを被覆する絶縁体の最小限の形状変更だけで簡単に放電経路を長くすることができる光海底中継器用ケーブル導入装置の絶縁構造を得ることを目的とする。
【００１１】
さらに、この発明は、給電系統の金属スリーブを被覆する本来の絶縁体とは別の部材を必要とせずに、絶縁体の断面形状を変更するだけで簡単に放電経路を長くすることができる光海底中継器用ケーブル導入装置の絶縁構造を得ることを目的とする。
【００１２】
【課題を解決するための手段】
この発明に係る光海底中継器用ケーブル導入装置の絶縁構造は、光ファイバ海底ケーブルの中継器を収納する耐圧筐体の壁部に設けられ、光ファイバが挿通された第１の金属スリーブと、この第１の金属スリーブと前記耐圧筐体との間を電気的に絶縁する第１の絶縁体とを有し、前記耐圧筐体に対し光ファイバ海底ケーブルを導入する第１のケーブル導入装置と、前記光ファイバが挿通され、前記第１の金属スリーブに接続される第２の金属スリーブと、この第２の金属スリーブの外周を被覆して前記第１の絶縁体の軸方向端面に接合される第２の絶縁体とを有し、前記中継器と前記第１のケーブル導入装置との間を接続する第２のケーブル導入装置とを備えた光海底中継器用ケーブル導入装置の絶縁構造において、前記第１，第２のケーブル導入装置の相互接続部には、前記第１，第２の絶縁体の相互接合面間に形成され、前記第１，第２の金属スリーブから前記耐圧筐体に向かう放電経路の途中の放電方向を、前記絶縁体の厚み方向から、前記金属スリーブの軸方向にずれた方向に導くことによって前記放電経路を延長する放電経路延長手段を設けたものである。
【００１３】
この発明に係る光海底中継器用ケーブル導入装置の絶縁構造の放電経路延長手段は、第１の絶縁体と第２の絶縁体との接合部外周を、前記第１，第２の絶縁体に跨って一体的に覆う電気絶縁性のカラーからなっているものである。
【００１４】
この発明に係る光海底中継器用ケーブル導入装置の絶縁構造の放電経路延長手段は、第１の絶縁体と第２の絶縁体において、一方の絶縁体の被接合端部に形成された嵌合凹部と、他方の絶縁体の被接合端部に形成され前記嵌合凹部に嵌合固着された嵌合凸部とからなっているものである。
【００１５】
この発明に係る光海底中継器用ケーブル導入装置の絶縁構造の放電経路延長手段は、第１の絶縁体と第２の絶縁体における一方の絶縁体の被接合端部に形成された嵌合凹部と、他方の絶縁体の被接合端部に形成され前記嵌合凹部に嵌合固着された嵌合凸部と、前記第１，第２の絶縁体相互の接合部外周を一体的に覆う電気絶縁性のカラーとからなっているものである。
【００１６】
【発明の実施の形態】
以下、この発明の実施の一形態を説明する。
実施の形態１．
図１はこの発明の実施の形態１による光海底中継器用ケーブル導入装置の絶縁構造を示す断面図であり、図４から図６と同一または相当部分には同一符号を付して重複説明を省略する。なお、この発明による光海底中継器用ケーブル導入装置の絶縁構造は、図４および図５に基づいて説明した従来のケーブル導入装置３を構成する第１のケーブル導入装置３１と第２のケーブル導入装置３２との接続部に適用されるものである。
【００１７】
図１において、２１は第１の金属スリーブ７を被覆する第１の絶縁体８と第２の金属スリーブ１６を被覆する第２の絶縁体１７との接合面間の外周を一体的に覆う電気絶縁性のカラー、２２はそのカラー２１の両端部を前記第１の絶縁体８および前記第２の絶縁体１７の外周面に隅肉溶接した溶接部、２３は前記第１の金属スリーブ７および／または前記第２の金属スリーブ１６から前記第１と第２の絶縁体８，１７の接合面間を通って図４，図５の耐圧筐体２に流れる放電が発生する場合の放電経路である。
【００１８】
すなわち、前記カラー２１は、前記第１，第２の絶縁体８，１７相互の接合面間を覆うように該絶縁体８，１７相互の外周面に跨って嵌合し、軸方向両端部を前記各絶縁体８，１７に溶接したものである。かかるカラー２１は、前記第１の金属スリーブ７および／または第２の金属スリーブ１６から前記第１と第２の絶縁体８，１７の接合面間を通って図４，図５の耐圧筐体２に至る放電経路２３が発生した際に、その放電経路２３の途中を、前記耐圧筐体２に近い側となる前記第１の絶縁体８の外周面軸方向に屈曲させ、前記放電経路２３を長くする放電経路延長手段となるものである。
【００１９】
次に動作について説明する。
ケーブル導入装置３による中継器１への電力および光信号の導入、かつ、その中継器１からの電力および光信号の導出は従来と同様に行われるので、説明を省略する。
例えば、中継器１の高性能化に伴って、該中継器１への供給電力が増大することにより、第１，第２の金属スリーブ７，１６と耐圧筐体２との間に発生する電位差が大きくなった場合でも、第１，第２の絶縁体８，１７の接合面間を両者の外周面部で覆う電気絶縁性のカラー２１によって、前記第１の金属スリーブ７および／または第２の金属スリーブ１６から前記第１と第２の絶縁体８，１７の接合面間を通って図４，図５の耐圧筐体２に至る放電経路（沿面距離）２３が長くなるため、前記第１の金属スリーブ７および／または第２の金属スリーブ１６から前記耐圧筐体２への放電が発生し難くなる。
【００２０】
以上説明した実施の形態１によれば、第１，第２の金属スリーブ７，１６を被覆して互い接合する第１，第２の絶縁体８，１７相互の接合面間を両者の外周面部に跨る電気絶縁性のカラー２１で一体的に覆うように構成したので、前記第１の金属スリーブ７および／または第２の金属スリーブ１６から前記第１と第２の絶縁体８，１７の接合面間を通って耐圧筐体２に至る放電経路（沿面距離）２３を前記カラー２１によって長くすることができる。このため、前記第１の金属スリーブ７および／または第２の金属スリーブ１６から前記耐圧筐体２への放電が発生し難くなり、放電による絶縁破壊の防止が可能となり、絶縁性能が向上し、絶縁破壊に対する信頼性が高くなるという効果がある。また、構成が簡単で、第１および第２のケーブル導入装置３１，３２の基本構成を変更することなく、容易かつ低コストで実施できるという効果がある。
【００２１】
実施の形態２．
図２はこの発明の実施の形態２による光海底中継器用ケーブル導入装置の絶縁構造を示す断面図であり、図１および図４から図６と同一または相当部分には同一符号を付して重複説明を省略する。
図２において、８ａは第１の絶縁体８における第２の絶縁体１７との被接合端部に一体形成した嵌合凹部であり、この嵌合凹部８ａは、前記第１の絶縁体８の被接合端部外周を径方向に切り欠いて環状に形成されたものである。１７ａは前記第２の絶縁体１７における前記第１の絶縁体８との被接合端部に一体形成した嵌合凸部であり、この嵌合凸部１７ａは、前記第２の絶縁体１７の被接合端部内周を径方向へ環状に切り欠いて形成されたものである。そして、この実施の形態２では、前記第１の絶縁体８の嵌合凹部８ａに前記第２の絶縁体１７の嵌合凸部１７ａを凹凸嵌合させ、前記嵌合凸部１７ａ先端と第１の絶縁体８との接合面部外側を開先溶接したもので、その溶接部を符号１９で示す。２４は前記第１の金属スリーブ７および／または第２の金属スリーブ１６から前記耐圧筐体２へ放電が発生する場合の放電経路である。
【００２２】
すなわち、この実施の形態２では、前記第１の金属スリーブ７および／または第２の金属スリーブ１６から前記第１と第２の絶縁体８，１７の接合面間を通って耐圧筐体２に至る前記放電経路（沿面距離）２４を長くする放電経路延長手段として、第１の絶縁体８に嵌合凹部８ａを形成し、かつ、第２の絶縁体１７に嵌合凸部１７ａを形成したものである。
【００２３】
次に動作について説明する。
第１の絶縁体８の嵌合凹部８ａと第２の絶縁体１７の嵌合凸部１７ａが軸方向に沿って凹凸嵌合され、前記嵌合凹部８ａと嵌合凸部１７ａ相互の軸方向に沿った接合面部によって、前記放電経路２４が長くなるため、前記第１の金属スリーブ７および／または第２の金属スリーブ１６から前記耐圧筐体２への放電が発生し難くなる。
【００２４】
以上説明した実施の形態２によれば、第１の金属スリーブ７を被覆する第１の絶縁体８と、第２の金属スリーブ１６を被覆する第２の絶縁体１７との被接合端部において、第１の絶縁体８の被接合端部に嵌合凹部８ａを、かつ第２の絶縁体１７の被接合端部に嵌合凸部１７ａをそれぞれ一体形成し、前記嵌合凹部８ａと前記嵌合凸部１７ａとを凹凸嵌合して溶接で一体化するように構成したので、第１，第２の絶縁体８，１７とは別の部材を必要とせずに、それらの絶縁体８，１７の被接合端部の形状を一部変更するだけで、前記第１の金属スリーブ７および／または第２の金属スリーブ１６から前記第１と第２の絶縁体８，１７の接合面間を通って耐圧筐体２に至る放電経路（沿面距離）２４を長くすることができる。このため、前記実施の形態１の場合と同様に、放電による絶縁破壊の防止が可能となり、絶縁性能が向上し、絶縁破壊に対する信頼性が高くなるという効果がある。また、構成が簡単で、第１および第２のケーブル導入装置３１，３２の基本構成を変更することなく、容易かつ低コストで実施できるという効果がある。
【００２５】
実施の形態３．
図３はこの発明の実施の形態３による光海底中継器用ケーブル導入装置の絶縁構造を示す断面図であり、図１，図２および図４から図６と同一または相当部分には同一符号を付して重複説明を省略する。
図３において、８ｂは第１の絶縁体８における第２の絶縁体１７との被接合端部に一体形成した嵌合凸部であり、この嵌合凸部８ｂは、前記第１の絶縁体８の被接合端部内周を径方向に切り欠いて環状に形成したものである。１７ｂは前記第２の絶縁体１７における前記第１の絶縁体８との被接合端部に一体形成した嵌合凹部であり、この嵌合凹部１７ｂは、前記第２の絶縁体１７の被接合端部外周を径方向へ環状に切り欠いて形成されたものである。なお、２５は前記第１の金属スリーブ７および／または第２の金属スリーブ１６から前記耐圧筐体２へ放電が発生する場合の放電経路である。
【００２６】
すなわち、前記実施の形態２では、第１の絶縁体８の被接合端部に嵌合凹部８ａを、かつ、第２の絶縁体１７の被接合端部に嵌合凸部１７ａをそれぞれ形成したが、これとは逆に、この実施の形態３では、第１の絶縁体８の被接合端部に嵌合凸部８ｂを、かつ、第２の絶縁体１７の被接合端部に嵌合凹部１７ｂをそれぞれ形成したものである。
したがって、この実施の形態３では、前記実施の形態２と同様の効果が得られる。
【００２７】
実施の形態４．
この実施の形態４については図示しないが、この実施の形態４では、前記実施の形態２や前記実施の形態３における溶接用の開先（溶接部１９）を設けずに、その他は前記実施の形態２もしくは前記実施の形態３と同一の構成とし、第１の絶縁体８と第２の絶縁体１７との被接合端部を、前記実施の形態２もしくは前記実施の形態３の場合と同様に凹凸嵌合させ、該凹凸嵌合による前記第１，第２の絶縁体８，１７相互の接合面部外周を、前記実施の形態１の場合と同様に電気絶縁性のカラー２１で一体的に覆う構成とするものである。
【００２８】
以上説明した実施の形態４によれば、前記実施の形態２もしくは前記実施の形態３による第１，第２の絶縁体８，１７相互の凹凸嵌合と、前記実施の形態１によるカラー２１とを組み合わせるように構成したので、第１の金属スリーブ７および／または第２の金属スリーブ１６から第１，第２の絶縁体８，１７の接合面間を通って耐圧筐体２に至る放電経路（沿面距離）がさらに長くなり、このため、放電による絶縁破壊の防止性能が一層高くなるという効果がある。
【００２９】
【発明の効果】
以上のように、この発明によれば、第１のケーブル導入装置の金属スリーブを被覆する第１の絶縁体と、第２のケーブル導入装置の金属スリーブを被覆する第２の絶縁体との接合面間を通って前記金属スリーブから耐圧筐体への放電が発生する際の放電経路の途中の放電方向を、前記絶縁体の厚み方向から、前記金属スリーブの軸方向にずれた方向に導くことによって前記放電経路を延長する放電経路延長手段を設けるように構成したので、前記金属スリーブから前記絶縁体の接合面間を通って耐圧筐体に至る放電経路が長くなり、このため、耐圧筐体への放電が発生し難く、放電による絶縁破壊の防止が可能となって絶縁性能が向上し、絶縁破壊に対する信頼性が高くなるという効果がある。
【００３０】
この発明によれば、第１の絶縁体と第２の絶縁体との接合部外周を電気絶縁性のカラーで一体的に覆うように構成したので、構成が簡単であり、しかも、前記金属スリーブから前記絶縁体の接合面間を通って耐圧筐体に至る放電経路を前記カラーによって長くでき、このため、耐圧筐体への放電が発生し難く、放電による絶縁破壊の防止が可能となって絶縁性能が向上し、絶縁破壊に対する信頼性が高くなるという効果がある。
【００３１】
この発明にによれば、第１の絶縁体および第２の絶縁体における一方の絶縁体の被接合端部に嵌合凹部を、かつ、他方の絶縁体の被接合端部に嵌合凸部をそれぞれ形成し、前記嵌合凹部と前記嵌合凸部とを凹凸嵌合して一体化するように構成したので、前記第１，第２の絶縁体とは別の部材を必要とせずに、それらの絶縁体の被接合端部の形状を一部変更するだけで、金属スリーブから前記第１と第２の絶縁体の接合面間を通って耐圧筐体に至る放電経路を長くすることができ、放電による絶縁破壊の防止が可能となり、絶縁性能が向上し、絶縁破壊に対する信頼性が高くなるという効果がある。また、構成が簡単で、第１および第２のケーブル導入装置の基本構成を変更することなく、容易かつ低コストで実施できるという効果がある。
【００３２】
この発明によれば、第１の絶縁体と第２の絶縁体における一方の絶縁体の被接合端部に形成された嵌合凹部と、他方の絶縁体の被接合端部に形成され前記嵌合凹部に嵌合固着された嵌合凸部と、前記第１，第２の絶縁体相互の接合部外周を一体的に覆う電気絶縁性のカラーとを組み合わせるように構成したので、金属スリーブから前記絶縁体の接合面間を通って耐圧筐体に至る放電経路がさらに長くなり、このため、放電による絶縁破壊の防止性能が一層高くなるという効果がある。
【図面の簡単な説明】
【図１】  この発明の実施の形態１による光海底中継器用ケーブル導入装置の絶縁構造を示す断面図である。
【図２】  この発明の実施の形態２による光海底中継器用ケーブル導入装置の絶縁構造を示す断面図である。
【図３】  この発明の実施の形態３による光海底中継器用ケーブル導入装置の絶縁構造を示す断面図である。
【図４】  従来の光海底中継器用ケーブル導入装置の絶縁構造を説明するために例示した一般的な光海底中継器を示す概略的な説明図である。
【図５】  図４中のＡ部のケーブル導入装置を示す拡大断面図である。
【図６】  図５のＢ部の拡大断面図である。
【符号の説明】
１  中継器、２  耐圧筐体、３  ケーブル導入装置、７  第１の金属スリーブ、８  第１の絶縁体、８ａ  嵌合凹部、８ｂ  嵌合凸部、１６  第２の金属スリーブ、１７  第２の絶縁体、１７ａ  嵌合凸部、１７ｂ  嵌合凹部、１９  溶接部、２１  カラー、２２  溶接部、２３〜２５  放電経路、３１  第１のケーブル導入装置、３２  第２のケーブル導入装置。
【図１】
0003698960.tif 000002
【図２】
0003698960.tif 000003
【図３】
0003698960.tif 000004
【図４】
0003698960.tif 000005
【図５】
0003698960.tif 000006
【図６】
0003698960.tif 000007